(57)【要約】【課題】毛束が歯間部に入りやすく、かつ、歯間部の清掃効果を向上できる歯ブラシを提供する。【解決手段】本発明の歯ブラシの一つの態様は、複数の毛束が複数の列に並んで設けられた歯ブラシであって、毛束は、一方向の一方側に傾く第１の毛束と、第１の毛束の一方側に位置し、一方向の他方側に傾く第２の毛束と、第１の毛束が設けられた列と隣り合う列に設けられ、直立する第３の毛束と、を含み、植毛面を基準として、第１の毛束の高さと、第２の毛束の高さと、第３の毛束の高さとは、同じであり、第１の毛束は、他方側に向かうに従って第１の毛束の高さが低くなる第１の傾斜面を有し、第２の毛束は、一方側に向かうに従って第２の毛束の高さが低くなる第２の傾斜面を有し、第１の毛束と第２の毛束とは、一方向において、互いに重ならない位置に配置され、第３の毛束は、一方向において、第１の毛束と第２の毛束との間に配置される。【選択図】図２
2016073535.tif 000002
【特許請求の範囲】
【請求項１】
ヘッド部の植毛面に複数の毛束が植設され、前記複数の毛束が前記植毛面と平行な一方向に沿って複数の列に並んで設けられた歯ブラシであって、
前記毛束は、
前記一方向の一方側に傾く第１の毛束と、
前記第１の毛束の前記一方側に位置し、前記一方向の他方側に傾く第２の毛束と、
前記第１の毛束が設けられた列と隣り合う列に設けられ、直立する第３の毛束と、
を含み、
前記植毛面を基準として、前記第１の毛束の高さと、前記第２の毛束の高さと、前記第３の毛束の高さとは、同じであり、
前記第１の毛束は、前記他方側に向かうに従って前記第１の毛束の高さが低くなる第１の傾斜面を有し、
前記第２の毛束は、前記一方側に向かうに従って前記第２の毛束の高さが低くなる第２の傾斜面を有し、
前記第１の毛束と前記第２の毛束とは、前記一方向において、互いに重ならない位置に配置され、
前記第３の毛束は、前記一方向において、前記第１の毛束と前記第２の毛束との間に配置されることを特徴とする歯ブラシ。
【請求項２】
前記毛束は、前記一方向において、前記第３の毛束と隣り合う第４の毛束をさらに含み、
前記植毛面を基準とした前記第４の毛束の高さは、前記第１の毛束の高さ以上である、請求項１に記載の歯ブラシ。
【請求項３】
前記第４の毛束は、前記一方向において、前記第３の毛束の両側にそれぞれ設けられる、請求項２に記載の歯ブラシ。
【請求項４】
前記第４の毛束を構成する用毛は、非テーパー毛である、請求項２または３に記載の歯ブラシ。
【請求項５】
前記第４の毛束が植設された毛穴部の内径は、前記第１の毛束、前記第２の毛束、及び第３の毛束が、それぞれ植設された毛穴部の内径よりも小さい、請求項２から４のいずれか一項に記載の歯ブラシ。
【請求項６】
前記第１の毛束を構成する用毛と、前記第２の毛束を構成する用毛と、前記第３の毛束を構成する用毛とは、テーパー毛である、請求項１から５のいずれか一項に記載の歯ブラシ。
【請求項７】
前記一方向において、前記第１の毛束と前記第２の毛束との間には、直立する第５の毛束が設けられ、
前記第５の毛束は、前記植毛面を基準とした高さが、前記第１の毛束の高さと同じである、請求項１から６のいずれか一項に記載の歯ブラシ。
【請求項８】
前記一方向は、前記ヘッド部の長手方向であり、
前記第１の毛束及び前記第２の毛束は、前記複数の列のうち少なくとも両端の列に設けられる、請求項１から７のいずれか一項に記載の歯ブラシ。
【請求項９】
隣り合う前記複数の列は、前記一方向において、一方の列を構成する前記毛束同士の間に、他方の列を構成する前記毛束が位置するように、ずれて配置される、請求項１から８のいずれか一項に記載の歯ブラシ。
【請求項１０】
前記毛束は、
前記第３の毛束が設けられた列と隣り合い前記第１の毛束が設けられた列と異なる列に設けられ、かつ、前記一方側に傾く第６の毛束と、
前記第６の毛束の前記一方側に位置し、前記他方側に傾く第７の毛束と、
を含み、
前記第６の毛束は、前記他方側に向かうに従って前記第６の毛束の高さが低くなる第３の傾斜面を有し、
前記第７の毛束は、前記一方側に向かうに従って前記第７の毛束の高さが低くなる第４の傾斜面を有し、
前記第６の毛束と前記第７の毛束とは、前記一方向において、互いに重ならない位置に配置され、
前記第３の毛束は、前記一方向において、前記第６の毛束と前記第７の毛束との間に配置される請求項１から９のいずれか一項に記載の歯ブラシ。
【発明の詳細な説明】
【技術分野】
【０００１】
本発明は、歯ブラシに関する。
【背景技術】
【０００２】
例えば、特許文献１に示すように、隣り合う毛束同士を互いに傾斜させることで三角錐状に形成された毛束部分を有する歯ブラシが提案されている。
【先行技術文献】
【特許文献】
【０００３】
【特許文献１】特開平８−１６４０２５号公報
【発明の概要】
【発明が解決しようとする課題】
【０００４】
上記のような歯ブラシにおいては、毛束が歯と歯との歯間部に入りやすい一方で、毛束が傾斜しているため、歯間部の清掃効果を十分に向上できない場合があった。
【０００５】
本発明の一つの態様は、上記問題点に鑑みて成されたものであって、毛束が歯間部に入りやすく、かつ、歯間部の清掃効果を向上できる歯ブラシを提供することを目的の一つとする。
【課題を解決するための手段】
【０００６】
本発明の歯ブラシの一つの態様は、ヘッド部の植毛面に複数の毛束が植設され、前記複数の毛束が前記植毛面と平行な一方向に沿って複数の列に並んで設けられた歯ブラシであって、前記毛束は、前記一方向の一方側に傾く第１の毛束と、前記第１の毛束の前記一方側に位置し、前記一方向の他方側に傾く第２の毛束と、前記第１の毛束が設けられた列と隣り合う列に設けられ、直立する第３の毛束と、を含み、前記植毛面を基準として、前記第１の毛束の高さと、前記第２の毛束の高さと、前記第３の毛束の高さとは、同じであり、前記第１の毛束は、前記他方側に向かうに従って前記第１の毛束の高さが低くなる第１の傾斜面を有し、前記第２の毛束は、前記一方側に向かうに従って前記第２の毛束の高さが低くなる第２の傾斜面を有し、前記第１の毛束と前記第２の毛束とは、前記一方向において、互いに重ならない位置に配置され、前記第３の毛束は、前記一方向において、前記第１の毛束と前記第２の毛束との間に配置されることを特徴とする。
【０００７】
前記毛束は、前記一方向において、前記第３の毛束と隣り合う第４の毛束をさらに含み、前記植毛面を基準とした前記第４の毛束の高さは、前記第１の毛束の高さ以上である構成としてもよい。
【０００８】
前記第４の毛束は、前記一方向において、前記第３の毛束の両側にそれぞれ設けられる構成としてもよい。
【０００９】
前記第４の毛束を構成する用毛は、非テーパー毛である構成としてもよい。
【００１０】
前記第４の毛束が植設された毛穴部の内径は、前記第１の毛束、前記第２の毛束、及び第３の毛束が、それぞれ植設された毛穴部の内径よりも小さい構成としてもよい。
【００１１】
前記第１の毛束を構成する用毛と、前記第２の毛束を構成する用毛と、前記第３の毛束を構成する用毛とは、テーパー毛である構成としてもよい。
【００１２】
前記一方向において、前記第１の毛束と前記第２の毛束との間には、直立する第５の毛束が設けられ、前記第５の毛束は、前記植毛面を基準とした高さが、前記第１の毛束の高さと同じである構成としてもよい。
【００１３】
前記一方向は、前記ヘッド部の長手方向であり、前記第１の毛束及び前記第２の毛束は、前記複数の列のうち少なくとも両端の列に設けられる構成が好ましい。
【００１４】
隣り合う前記複数の列は、前記一方向において、一方の列を構成する前記毛束同士の間に、他方の列を構成する前記毛束が位置するように、ずれて配置される構成としてもよい。
【００１５】
前記毛束は、前記第３の毛束が設けられた列と隣り合い前記第１の毛束が設けられた列と異なる列に設けられ、かつ、前記一方側に傾く第６の毛束と、前記第６の毛束の前記一方側に位置し、前記他方側に傾く第７の毛束と、を含み、前記第６の毛束は、前記他方側に向かうに従って前記第６の毛束の高さが低くなる第３の傾斜面を有し、前記第７の毛束は、前記一方側に向かうに従って前記第７の毛束の高さが低くなる第４の傾斜面を有し、前記第６の毛束と前記第７の毛束とは、前記一方向において、互いに重ならない位置に配置され、前記第３の毛束は、前記一方向において、前記第６の毛束と前記第７の毛束との間に配置される構成としてもよい。
【発明の効果】
【００１６】
本発明の一つの態様によれば、毛束が歯間部に入りやすく、かつ、清掃効果を向上できる歯ブラシが提供される。
【図面の簡単な説明】
【００１７】
【図１】第１実施形態の歯ブラシのヘッド部を示す平面図である。
【図２】第１実施形態の歯ブラシのヘッド部を示す図であって、図１におけるII−II断面図である。
【図３】第２実施形態の歯ブラシの他の一例のヘッド部を示す平面図である。
【図４】第２実施形態の歯ブラシの他の一例のヘッド部を示す図であって、図３におけるIV−IV断面図である。
【発明を実施するための形態】
【００１８】
以下、図面を参照しながら、本発明の実施形態に係る歯ブラシについて説明する。なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１９】
また、図面においては、適宜３次元直交座標系としてＸＹＺ座標系を示し、Ｘ軸方向を図１に示す歯ブラシ１０におけるヘッド部１１の短手方向、すなわち、図１における上下方向とし、Ｙ軸方向を歯ブラシ１０におけるヘッド部１１の長手方向（一方向）、すなわち、図１における左右方向とし、Ｚ軸方向をＸ軸方向とＹ軸方向との両方と直交する方向とする。
以下の説明においては、特に断りのない限り、長手方向とはヘッド部１１の長手方向を意味し、短手方向とはヘッド部１１の短手方向を意味するものとする。
【００２０】
＜第１実施形態＞
図１及び図２は、本実施形態の歯ブラシ１０のヘッド部１１を示す図である。図１は、平面図である。図２は、図１におけるII−II断面図である。
本実施形態の歯ブラシ１０は、図１に示すように、ネック部１２の先端に設けられたヘッド部１１を備える。
ヘッド部１１の＋Ｚ側の植毛面１１ａには、複数の毛束が植設されている。より詳細には、植毛面１１ａには複数の穴部が設けられ、各穴部に毛束が植設されている。毛束は、植毛面１１ａに植設された複数の用毛で構成されている。
【００２１】
植毛面１１ａに植設された複数の毛束は、植毛面１１ａと平行な一方向、すなわち、本実施形態においてはヘッド部１１の長手方向（Ｙ軸方向）に沿って複数の列Ｒ１１，Ｒ１２，Ｒ１３，Ｒ１４，Ｒ１５に並んで設けられている。
本実施形態においては、列Ｒ１１〜列Ｒ１５の隣り合う列は、長手方向において、一方の列を構成する毛束同士の間に、他方の列を構成する毛束が位置するように、ずれて配置されている。言い換えると、本実施形態において、複数の毛束は、千鳥状に配置されている。
【００２２】
複数の毛束は、第１の三角部毛束（第１の毛束）２１と、第２の三角部毛束（第２の毛束）２２と、第３の三角部毛束（第３の毛束）２３と、フロス部毛束（第４の毛束）３０と、第１の補助三角部毛束（第６の毛束）４１と、第２の補助三角部毛束（第７の毛束）４２と、補助毛束４０と、を含む。第１の三角部毛束２１と、第２の三角部毛束２２と、第３の三角部毛束２３とは、三角部２０を構成する。
【００２３】
第１の三角部毛束２１は、−Ｘ側の端の列Ｒ１１と、＋Ｘ側の端の列Ｒ１５とに設けられている。すなわち、第１の三角部毛束２１は、複数の列Ｒ１１〜Ｒ１５のうち両端の列Ｒ１１，Ｒ１５に設けられている。
【００２４】
第１の三角部毛束２１は、図２に示すように、長手方向（Ｙ軸方向）のネック部１２側（一方側，−Ｙ側）に傾いている。第１の三角部毛束２１は、第１の傾斜面２１ａを有する。第１の傾斜面２１ａは、ヘッド部１１の先端側（他方側，＋Ｙ側）に向かうに従って、植毛面１１ａを基準とした第１の三角部毛束２１の高さが低くなる面である。すなわち、第１の三角部毛束２１の先端は、切断面がヘッド部１１の先端側に臨むように斜めにカットされた形状に形成されている。第１の傾斜面２１ａは、第１の三角部毛束２１を構成する複数の用毛の先端に設けられた、第１の傾斜面２１ａと同様に傾く傾斜面によって構成される。
【００２５】
本実施形態においては、第１の三角部毛束２１を構成する用毛は、例えば、毛先に向かって漸次縮径して先端が先鋭化された公知のテーパー毛（以下、単に「テーパー毛」という）である。テーパー毛の基部径は、特に限定されず、一例として、４ｍｉｌ（約０．１０ｍｍ）以上、６ｍｉｌ（約０．１５ｍｍ）以下程度である。
【００２６】
なお、以下の説明においては、長手方向の＋Ｙ側を先端側、長手方向の−Ｙ側をネック部１２側と呼ぶ。
【００２７】
第２の三角部毛束２２は、図１に示すように、長手方向（Ｙ軸方向）において第１の三角部毛束２１のネック部１２側（−Ｙ側）に位置している。第２の三角部毛束２２は、第１の三角部毛束２１が設けられた列と同じ列、すなわち、両端の列Ｒ１１，Ｒ１５に設けられている。
【００２８】
第２の三角部毛束２２は、図２に示すように、長手方向の先端側（＋Ｙ側）に傾いている。第２の三角部毛束２２は、第２の傾斜面２２ａを有する。第２の傾斜面２２ａは、ネック部１２側（＋Ｙ側）に向かうに従って、植毛面１１ａを基準とした第２の三角部毛束２２の高さが低くなる面である。すなわち、第２の三角部毛束２２の先端は、切断面がネック部１２側に臨むように斜めにカットされた形状に形成されている。第２の傾斜面２２ａは、第２の三角部毛束２２を構成する複数の用毛の先端に設けられた、第２の傾斜面２２ａと同様に傾く傾斜面によって構成される。第２の三角部毛束２２を構成する用毛は、例えば、第１の三角部毛束２１と同様に選択できる。第２の三角部毛束２２は、傾く向き、及び第２の傾斜面２２ａの臨む向きが異なる点を除いて、第１の三角部毛束２１と同様である。
【００２９】
本実施形態においては、図１に示すように、第１の三角部毛束２１と第２の三角部毛束２２とは、列Ｒ１１及び列Ｒ１５において、互いに隣り合って設けられている。第１の三角部毛束２１と第２の三角部毛束２２とは、長手方向（Ｙ軸方向）において、互いに重ならない位置に配置されている。
【００３０】
なお、本明細書において、長手方向（Ｙ軸方向）において重ならないとは、隣り合う毛束同士が長手方向において離間して設けられていること、及び隣り合う毛束の先端同士が長手方向において接触すること、を含む。
【００３１】
図２に示す第１の三角部毛束２１の植毛面１１ａの法線方向（Ｚ軸方向）に対する傾きθは、本実施形態においては、第２の三角部毛束２２の植毛面１１ａの法線方向に対する傾きと同じである。傾きθは、第１の三角部毛束２１と第２の三角部毛束２２とが、長手方向（Ｙ軸方向）において、重ならないように設定されている。傾きθは、例えば、各列における毛束が配置されるピッチ、及び植毛面１１ａを基準とした毛束の高さに基づいて設定される。
【００３２】
第３の三角部毛束２３は、図１に示すように、列Ｒ１１と隣り合う列Ｒ１２、及び列Ｒ１５と隣り合う列Ｒ１４とに設けられている。すなわち、第３の三角部毛束２３は、第１の三角部毛束２１及び第２の三角部毛束２２が設けられた列Ｒ１１，Ｒ１５と隣り合う列Ｒ１２，Ｒ１４に設けられている。
【００３３】
第３の三角部毛束２３は、図２に示すように、長手方向（Ｙ軸方向）において、第１の三角部毛束２１と第２の三角部毛束２２との間に配置されている。本実施形態においては、第３の三角部毛束２３は、第１の三角部毛束２１と第２の三角部毛束２２との長手方向の中心に配置されている。
【００３４】
第３の三角部毛束２３は、植毛面１１ａに対して直立して設けられている。第３の三角部毛束２３を構成する用毛は、例えば、第１の三角部毛束２１と同様に選択できる。
なお、本明細書において、直立するとは、植毛面１１ａに対して垂直な場合のみを含むものはなく、植毛面１１ａの法線方向（Ｚ軸方向）に対して０．５°以下程度で傾いている場合も含む。
【００３５】
第１の三角部毛束２１と第２の三角部毛束２２と第３の三角部毛束２３とは、それぞれ毛穴部２０ａに植設されている。毛穴部２０ａのうち、第１の三角部毛束２１が植設された毛穴部２０ａは、第１の三角部毛束２１が傾く向きと同じ向きに傾きθで傾斜している。毛穴部２０ａのうち、第２の三角部毛束２２が植設された毛穴部２０ａは、第２の三角部毛束２２が傾く向きと同じ向きに傾きθで傾斜している。
【００３６】
なお、本明細書において第１の三角部毛束２１がネック部１２側（−Ｙ側）に傾いているとは、第１の三角部毛束２１の中心がネック部１２側に傾いていればよく、必ずしも第１の三角部毛束２１を構成する用毛のすべてがネック部１２側に傾いていなくてもよい。すなわち、第１の三角部毛束２１がネック部１２側に傾いているとは、第１の三角部毛束２１を構成する用毛の一部が、垂直、あるいは、先端側（＋Ｙ側）に傾いている場合も含む。第２の三角部毛束２２についても同様である。
【００３７】
植毛面１１ａを基準として、第１の三角部毛束２１の高さ（Ｚ軸方向の寸法）と、第３の三角部毛束２３の高さＨ３とは、同じである。ここで、第１の三角部毛束２１の高さとは、第１の三角部毛束２１の最大高さ、すなわち、第１の傾斜面２１ａのネック部１２側の端部の高さＨ２である。図２においては、第１の三角部毛束２１の最小高さ、すなわち、第１の傾斜面２１ａの先端側（＋Ｙ側）の端部の高さをＨ１で示している。
【００３８】
第２の三角部毛束２２の最小高さは、第１の三角部毛束２１の最小高さＨ１と同じである。第２の三角部毛束２２の最大高さは、第１の三角部毛束２１の最大高さＨ２と同じである。すなわち、植毛面１１ａを基準として、第１の三角部毛束２１の高さと、第２の三角部毛束２２の高さと、第３の三角部毛束２３の高さとは、同じである。
以下、第１の三角部毛束２１の最大高さＨ２を、第１の三角部毛束２１の高さＨ２と呼ぶ場合がある。
【００３９】
また、本明細書において、毛束の高さが同じであるとは、２つの毛束の高さが厳密に同じ場合のみを含むものではなく、例えば、２つの毛束の高さの比が０．９以上、１．１以下程度である場合も含む。
【００４０】
第１の三角部毛束２１と第２の三角部毛束２２と第３の三角部毛束２３とで構成される三角部２０は、図１に示す例では、６つ設けられている。三角部２０の数は、例えば、４つ以上、８つ以下であることが好ましい。また、図１に示す第３の三角部毛束２３の配置領域ＡＲ２の、歯ブラシ１０の毛束の全配置領域ＡＲ１に対して占める割合は、例えば、２０％以上、４０％以下であることが好ましい。このような割合で三角部２０が設けられることで、全配置領域ＡＲ１の三角部２０以外の部分に、例えば、非テーパー毛で構成される直立した毛束をある程度の割合で配置できる。そのため、三角部２０によって歯間部の清掃効果を向上させつつ、非テーパー毛で構成される直立した毛束によって歯間部以外の清掃効果を向上させることができる。
【００４１】
なお、毛束の全配置領域ＡＲ１とは、平面視（ＸＹ面視）において、２つの毛穴部に接する接線と、毛穴部の外径線の一部とで構成された全ての毛穴部を囲む領域のうち、面積が最大となる領域である。
【００４２】
また、配置領域ＡＲ２とは、平面視において、第１の三角部毛束２１の毛穴部２０ａと第２の三角部毛束２２の毛穴部２０ａと第３の三角部毛束２３の毛穴部２０ａとのうちの２つに接する接線と、各毛穴部２０ａの外径の一部とで構成された、第１の三角部毛束２１の毛穴部２０ａと第２の三角部毛束２２の毛穴部２０ａと第３の三角部毛束２３の毛穴部２０ａとを囲む領域である。
【００４３】
フロス部毛束３０は、図１に示すように、長手方向（Ｙ軸方向）において、第３の三角部毛束２３と隣り合って設けられている。すなわち、フロス部毛束３０は、第３の三角部毛束２３が設けられた列Ｒ１２，Ｒ１４に設けられている。本実施形態においてフロス部毛束３０は、第３の三角部毛束２３の両側（±Ｙ側）に設けられている。図２に示すように、本実施形態においては、フロス部毛束３０は、第１の三角部毛束２１及び第２の三角部毛束２２と側面視（ＹＺ面視）で重ならない位置に配置されている。
【００４４】
植毛面１１ａを基準としたフロス部毛束３０の高さＨ４は、第１の三角部毛束２１の高さＨ２以上である。図２に示す例では、高さＨ４は、高さＨ２より大きい。図１に示すように、フロス部毛束３０が植設された毛穴部３０ａの内径φ２は、三角部毛束、すなわち、第１の三角部毛束２１、第２の三角部毛束２２、及び第３の三角部毛束２３が植設された毛穴部２０ａの内径φ１よりも小さい。フロス部毛束３０を構成する用毛は、例えば、断面が円形の円形毛や、断面が矩形の矩形毛、断面が五葉形の五葉毛等の非テーパー毛である。フロス部毛束３０を構成する用毛の太さは、例えば、７ｍｉｌ（約０．１８ｍｍ）以上、９ｍｉｌ（約０．２３ｍｍ）以下程度である。
【００４５】
フロス部毛束３０は、図１の例では、８つ設けられている。三角部２０の数とフロス部毛束３０の数との比は、０．５以上、２以下であることが好ましい。このような割合で三角部２０とフロス部毛束３０とが配置されることで、歯間部の清掃効果を向上させつつ、進入実感を向上できる。
【００４６】
第１の補助三角部毛束４１は、中央の列Ｒ１３に設けられている。すなわち、第１の補助三角部毛束４１は、第３の三角部毛束２３が設けられた列Ｒ１２，Ｒ１４と隣り合い第１の三角部毛束２１が設けられた列Ｒ１１，Ｒ１５と異なる列に設けられている。第１の補助三角部毛束４１は、長手方向（Ｙ軸方向）において、第１の三角部毛束２１と同じ位置に設けられている。
【００４７】
第１の補助三角部毛束４１を構成する用毛は、例えば、非テーパー毛である。第１の補助三角部毛束４１のその他の構成は、第１の三角部毛束２１の構成と同様である。すなわち、第１の補助三角部毛束４１は、ネック部１２側（−Ｙ側）に傾いている。第１の補助三角部毛束４１は、ヘッド部１１の先端側（＋Ｙ側）に向かうに従って、植毛面１１ａを基準とした第１の補助三角部毛束４１の高さが低くなる傾斜面（第３の傾斜面）を有する。
【００４８】
第２の補助三角部毛束４２は、中央の列Ｒ１３において、第１の補助三角部毛束４１のネック部１２側（−Ｙ側）に設けられている。第２の補助三角部毛束４２は、長手方向（Ｙ軸方向）において、第２の三角部毛束２２と同じ位置に設けられている。
【００４９】
第２の補助三角部毛束４２を構成する用毛は、例えば、非テーパー毛である。第２の補助三角部毛束４２のその他の構成は、第２の三角部毛束２２の構成と同様である。すなわち、第２の補助三角部毛束４２は、先端側（＋Ｙ側）に傾いている。第２の補助三角部毛束４２は、ネック部１２側（＋Ｙ側）に向かうに従って、植毛面１１ａを基準とした第２の補助三角部毛束４２の高さが低くなる傾斜面（第４の傾斜面）を有する。
【００５０】
本実施形態においては、第１の補助三角部毛束４１と第２の補助三角部毛束４２とは、列Ｒ１３において、互いに隣り合って設けられている。第１の補助三角部毛束４１と第２の補助三角部毛束４２とは、長手方向（Ｙ軸方向）において、互いに重ならない位置に配置されている。
【００５１】
第１の補助三角部毛束４１と第２の補助三角部毛束４２とは、隣り合う列に設けられた第３の三角部毛束２３と共に、補助三角部５０を構成する。すなわち、補助三角部５０は、第１の補助三角部毛束４１と第２の補助三角部毛束４２と第３の三角部毛束２３とで構成される。
【００５２】
本実施形態においては、一組の第１の補助三角部毛束４１と第２の補助三角部毛束４２とは、列Ｒ１２に設けられた第３の三角部毛束２３と、列Ｒ１４に設けられた第３の三角部毛束２３とのそれぞれと補助三角部５０を構成する。図１の例では、補助三角部５０は、例えば、６つ設けられている。
【００５３】
補助毛束４０は、歯ブラシ１０に設けられた複数の毛束のうち、第１の三角部毛束２１、第２の三角部毛束２２、第３の三角部毛束２３、フロス部毛束３０、第１の補助三角部毛束、及び第２の補助三角部毛束４２以外の毛束である。補助毛束４０は、本実施形態においては、各列Ｒ１１，Ｒ１２，Ｒ１４，Ｒ１５のネック部１２側（−Ｙ側）の端部に１つずつと、中央の列Ｒ１３の両端と設けられている。補助毛束４０は、三角部２０を構成しない点を除いて、第３の三角部毛束２３と同様の構成である。
【００５４】
本実施形態によれば、第１の三角部毛束２１と第２の三角部毛束２２と第３の三角部毛束２３とによって三角部２０が構成されているため、歯間部に毛束が入りやすく、かつ、歯間部の清掃効果を向上できる。以下、詳細に説明する。
【００５５】
第１の三角部毛束２１及び第２の三角部毛束２２は、互いに対向して傾き合うことで山形を構成しているため、歯間部に入りやすい。そして、第３の三角部毛束２３は、第１の三角部毛束２１及び第２の三角部毛束２２が設けられた列と隣り合う列に設けられ、かつ、長手方向において第１の三角部毛束２１と第２の三角部毛束２２との間に配置されている。これにより、第１の三角部毛束２１と第２の三角部毛束２２と第３の三角部毛束２３とで、平面視において三角形、すなわち三角部２０が形成される。そのため、第１の三角部毛束２１及び第２の三角部毛束２２と共に、第３の三角部毛束２３が歯間部に入りやすい。したがって、三角部２０が歯間部に入りやすい。
【００５６】
一方、斜めに傾いた毛束は、直立した毛束に比べて清掃効果が低下しやすい。これに対して、本実施形態によれば、歯間部に挿入される三角部２０を構成する第３の三角部毛束２３が直立して設けられている。そのため、歯間部の清掃効果を向上できる。
【００５７】
以上のように、本実施形態によれば、三角部２０は、第１の三角部毛束２１及び第２の三角部毛束２２によって歯間部に入りやすく、第３の三角部毛束２３によって歯間部の清掃効果を向上できる。その結果、本実施形態によれば、歯間部に毛束が入りやすく、かつ、歯間部の清掃効果を向上できる歯ブラシが得られる。
【００５８】
また、隣り合う毛束同士の傾きが大きく、隣り合う毛束同士が互いに交差する場合、毛束を構成する用毛の一部が歯に接触しないため、清掃効果が低下する。
これに対して、本実施形態によれば、第１の三角部毛束２１と第２の三角部毛束２２とは、長手方向において互いに重ならない位置に配置されている。そのため、第１の三角部毛束２１と第２の三角部毛束２２とが交差することがなく、清掃効果が低下することを抑制できる。
【００５９】
また、本実施形態によれば、第１の三角部毛束２１は第１の傾斜面２１ａを有しており、第２の三角部毛束２２は第２の傾斜面２２ａを有している。これにより、各毛束を構成する用毛が歯に接触する面積を大きくできる。したがって、本実施形態によれば、清掃効果をより向上できる。用毛としてテーパー毛等の先端に向かって漸減する用毛を用いる場合、先端径が細く、清掃効果が低下しやすいため、特に効果が大きい。
【００６０】
また、本実施形態によれば、第１の三角部毛束２１及び第２の三角部毛束２２は、第１の傾斜面２１ａ及び第２の傾斜面２２ａを有しているため、第１の三角部毛束２１の先端と第２の三角部毛束２２の先端とよって、山形が形成されている。したがって、三角部２０が歯間部に挿入された際に、歯間部内において第１の傾斜面２１ａ及び第２の傾斜面２２ａが歯の形状に沿いやすく、歯と接触しやすい。その結果、本実施形態によれば、清掃効果を向上できる。
【００６１】
また、本実施形態によれば、三角部２０を構成する第１の三角部毛束２１及び第２の三角部毛束２２は、両端の列Ｒ１１，Ｒ１５に設けられている。そのため、歯ブラシ１０を短手方向（Ｘ軸方向）に視た際に、使用者が三角部２０を視認しやすく、本実施形態の歯ブラシ１０の歯間部に対するフィット感が高いことを使用者に視覚的に認識させやすい。
【００６２】
また、本実施形態によれば、三角部２０を構成する各毛束は、テーパー毛で構成されている。そのため、各毛束を構成する用毛が柔らかく、三角部２０がより歯間部に入りやすい。
【００６３】
また、本実施形態によれば、第３の三角部毛束２３と隣り合い、高さＨ４が第１の三角部毛束２１の高さＨ２以上であるフロス部毛束３０が設けられている。これにより、フロス部毛束３０が、三角部２０が挿入される歯間部の奥に入りやすく、使用者に歯間部への進入実感を与えることができる。
【００６４】
また、本実施形態によれば、フロス部毛束３０は、第３の三角部毛束２３の両側に設けられているため、使用者に歯間部への進入実感をより与えることができる。
【００６５】
また、本実施形態によれば、フロス部毛束３０は、非テーパー毛であるため、テーパー毛に比べて硬く、歯間部内に刺激を与えやすい。したがって、本実施形態によれば、使用者に歯間部への進入実感をより与えることができる。
【００６６】
また、本実施形態によれば、フロス部毛束３０が植設された毛穴部３０ａの内径φ２は、三角部２０の各毛束が植設された毛穴部２０ａの内径φ１よりも小さい。そのため、フロス部毛束３０の太さは、三角部２０の各毛束の太さより小さい。したがって、フロス部毛束３０によって歯間部内に刺激をより与えやすく、使用者に進入実感をより与えやすい。
【００６７】
また、本実施形態によれば、列Ｒ１１〜列Ｒ１５は、千鳥状に配置されている。そのため、フロス部毛束３０は、長手方向において、第１の三角部毛束２１及び第２の三角部毛束２２と重ならない位置に配置されている。これにより、ブラッシング時において、三角部２０とフロス部毛束３０とが同時に歯間部に入ることが抑制される。すなわち、例えば、三角部２０が歯間部から抜けた後に、フロス部毛束３０が歯間部に進入する。したがって、本実施形態によれば、使用者がフロス部毛束３０の存在をより認識しやすく、使用者に歯間部への進入実感をより与えることができる。また、歯ブラシ１０を短手方向（Ｘ軸方向）に視た際に、使用者がフロス部毛束３０を視認しやすく、本実施形態の歯ブラシ１０の進入実感が高いことを使用者に視覚的に認識させやすい。
【００６８】
また、本実施形態によれば、第１の補助三角部毛束４１と第２の補助三角部毛束４２とが設けられ、第１の補助三角部毛束４１と第２の補助三角部毛束４２とは、第３の三角部毛束と共に補助三角部５０を構成している。そのため、本実施形態によれば、歯間部の清掃効果をより向上できる。
【００６９】
なお、本実施形態においては、以下の構成を採用してもよい。
【００７０】
本実施形態においては、第３の三角部毛束２３は、第１の三角部毛束２１と第２の三角部毛束２２との長手方向の中心に設けられていなくてもよい。すなわち、本実施形態においては、第３の三角部毛束２３は、第１の三角部毛束２１と第２の三角部毛束２２とが設けられる列と隣り合う列に設けられ、かつ、長手方向において、第１の三角部毛束２１と第２の三角部毛束２２との間に配置される範囲において、いずれの位置に設けられていてもよい。
【００７１】
また、本実施形態においては、第１の三角部毛束２１と第２の三角部毛束２２とが設けられる位置は、特に限定されず、両端の列Ｒ１１，Ｒ１５とのうちの一方のみに設けられていてもよいし、両端の列Ｒ１１，Ｒ１５以外の列に設けられていてもよい。
【００７２】
また、本実施形態においては、フロス部毛束３０は、第３の三角部毛束２３の片側のみに設けられていてもよい。
また、本実施形態においては、フロス部毛束３０の高さＨ４は、第１の三角部毛束２１の高さＨ２と同じであってもよい。
【００７３】
また、本実施形態においては、フロス部毛束３０が植設された毛穴部３０ａの内径φ２は、三角部２０の各毛束が植設された毛穴部２０ａの内径φ１以上であってもよい。
また、本実施形態においては、フロス部毛束３０は、設けられていなくてもよい。
【００７４】
また、本実施形態においては、第１の三角部毛束２１、第２の三角部毛束２２、及び第３の三角部毛束２３は、非テーパー毛であってもよい。
また、本実施形態においては、フロス部毛束３０は、テーパー毛であってもよい。
【００７５】
また、本実施形態においては、第１の三角部毛束２１の傾きθは、第２の三角部毛束２２の傾きと異なっていてもよい。
【００７６】
また、本実施形態においては、第１の補助三角部毛束４１を構成する用毛及び第２の補助三角部毛束４２を構成する用毛は、テーパー毛であってもよい。
【００７７】
また、本実施形態においては、第１の補助三角部毛束４１及び第２の補助三角部毛束４２は、設けられていなくてもよい。例えば、図１の例において、第１の補助三角部毛束４１及び第２の補助三角部毛束４２が設けられている位置に、補助毛束４０が設けられていてもよい。この場合においては、直立した補助毛束４０が設けられることで、歯間部以外の箇所の清掃効果を向上できる。
【００７８】
また、本実施形態においては、第１の補助三角部毛束４１の構成は、第１の三角部毛束２１の構成と同様の構成としたが、これに限られない。例えば、第１の補助三角部毛束４１の傾きは、第１の三角部毛束２１の傾きθと異なっていてもよい。また、第１の補助三角部毛束４１は、長手方向において、第１の三角部毛束２１と異なる位置に設けられていてもよい。第２の補助三角部毛束４２と第２の三角部毛束２２とについても同様である。
【００７９】
＜第２実施形態＞
第２実施形態は、第１実施形態に対して、毛束の配列が異なる点において異なる。
なお、以下の説明においては、上記実施形態と同様の構成については、適宜同一の符号を付す等により説明を省略する場合がある。
【００８０】
図３及び図４は、本実施形態の歯ブラシ１１０のヘッド部１１１を示す図である。図３は、平面図である。図４は、図３におけるIV−IV断面図である。
本実施形態の歯ブラシ１１０は、図３に示すように、ネック部１２の先端に設けられたヘッド部１１１を備える。
【００８１】
ヘッド部１１１の＋Ｚ側の植毛面１１１ａには、図１に示したヘッド部１１と同様に複数の毛束が植設されている。植毛面１１１ａに植設された複数の毛束は、ヘッド部１１１の長手方向（Ｙ軸方向）に沿って複数の列Ｒ２１，Ｒ２２，Ｒ２３，Ｒ２４，Ｒ２５に並んで設けられている。本実施形態において列Ｒ２１〜列Ｒ２５は、格子状に配置されている。
【００８２】
複数の毛束は、図３に示すように、第１の三角部毛束（第１の毛束）１２１と、第２の三角部毛束（第２の毛束）１２２と、第３の三角部毛束（第３の毛束）１２３と、三角部中央毛束（第５の毛束）１２４と、フロス部毛束（第４の毛束）３０と、第１の補助三角部毛束（第６の毛束）１４１と、第２の補助三角部毛束（第７の毛束）１４２と、補助毛束４０と、を含む。第１の三角部毛束１２１と、第２の三角部毛束１２２と、第３の三角部毛束１２３と、三角部中央毛束１２４とは、三角部１２０を構成する。
【００８３】
第１の三角部毛束１２１は、両端の列Ｒ２１及び列Ｒ２５に設けられている。第１の三角部毛束１２１は、図４に示すように、長手方向（Ｙ軸方向）のネック部１２側（−Ｙ側）に傾いている。第１の三角部毛束１２１は、長手方向において、ネック部１２側に隣り合う三角部中央毛束１２４と重ならない位置に配置されている。第１の三角部毛束１２１のその他の構成については、第１実施形態の第１の三角部毛束２１の構成と同様である。
【００８４】
第２の三角部毛束１２２は、図３に示すように、第１の三角部毛束１２１が設けられた列と同じ列Ｒ２１，Ｒ２５に設けられ、第１の三角部毛束１２１のネック部１２側（−Ｙ側）に位置する。第２の三角部毛束１２２は、図４に示すように、長手方向（Ｙ軸方向）の先端側（＋Ｙ側）に傾いている。第２の三角部毛束１２２は、長手方向において、先端側に隣り合う三角部中央毛束１２４と重ならない位置に配置されている。第２の三角部毛束１２２のその他の構成については、第１実施形態の第２の三角部毛束２２の構成と同様である。
【００８５】
三角部中央毛束１２４は、植毛面１１１ａに対して直立して設けられている。図３に示すように、三角部中央毛束１２４は、第１の三角部毛束１２１及び第２の三角部毛束１２２が設けられる列と同じ列Ｒ２１，Ｒ２５に設けられている。三角部中央毛束１２４は、長手方向（Ｙ軸方向）において、第１の三角部毛束１２１と第２の三角部毛束１２２との間に設けられている。三角部中央毛束１２４を構成する用毛は、例えば、非テーパー毛である。
【００８６】
第３の三角部毛束１２３は、第１の三角部毛束１２１及び第２の三角部毛束１２２が設けられた列Ｒ２１，Ｒ２５と隣り合う列Ｒ２２，Ｒ２４に設けられている。第３の三角部毛束１２３の構成は、第１実施形態の第３の三角部毛束２３の構成と同様である。
本実施形態においては、三角部１２０は、例えば、４つ設けられている。
【００８７】
本実施形態においては、毛束が格子状に設けられているため、第３の三角部毛束１２３の両側に設けられたフロス部毛束３０は、長手方向（Ｙ軸方向）において、それぞれ第１の三角部毛束１２１及び第２の三角部毛束１２２と同じ位置に設けられている。
【００８８】
第１の補助三角部毛束１４１は、中央の列Ｒ２３に設けられている。第１の補助三角部毛束１４１は、長手方向において、ネック部１２側（−Ｙ側）に隣り合う補助毛束４０と重ならない位置に配置されている。第１の補助三角部毛束１４１のその他の構成については、第１実施形態の第１の補助三角部毛束４１の構成と同様である。
【００８９】
第２の補助三角部毛束１４２は、第１の補助三角部毛束１４１が設けられた列と同じ列Ｒ２３に設けられ、第１の補助三角部毛束１４１のネック部１２側（−Ｙ側）に位置する。第２の補助三角部毛束１４２は、長手方向において、先端側（＋Ｙ側）に隣り合う補助毛束４０と重ならない位置に配置されている。第２の補助三角部毛束１４２のその他の構成については、第１実施形態の第２の補助三角部毛束４２の構成と同様である。
【００９０】
第１の補助三角部毛束１４１と第２の補助三角部毛束１４２とは、長手方向（Ｙ軸方向）において第１の補助三角部毛束１４１と第２の補助三角部毛束１４２との間に位置する補助毛束４０と、隣り合う列に設けられた第３の三角部毛束１２３と共に、補助三角部１５０を構成する。すなわち、補助三角部１５０は、第１の補助三角部毛束４１と第２の補助三角部毛束４２と補助毛束４０と第３の三角部毛束２３とで構成される。補助三角部１５０の補助毛束４０は、三角部１２０の三角部中央毛束１２４に相当する。
【００９１】
本実施形態においては、一組の第１の補助三角部毛束１４１と第２の補助三角部毛束１４２とは、列Ｒ２２に設けられた第３の三角部毛束１２３と、列Ｒ２４に設けられた第３の三角部毛束１２３とのそれぞれと補助三角部１５０を構成する。図３の例では、補助三角部１５０は、例えば、４つ設けられている。
【００９２】
補助毛束４０は、第１実施形態と同様に、歯ブラシ１１０に設けられた複数の毛束のうち、第１の三角部毛束１２１、第２の三角部毛束１２２、第３の三角部毛束１２３、三角部中央毛束１２４、フロス部毛束３０、第１の補助三角部毛束１４１、及び第２の補助三角部毛束１４２以外の毛束である。補助毛束４０は、本実施形態においては、列Ｒ２１及び列Ｒ２５のネック部１２側（−Ｙ側）の端部と先端側（＋Ｙ側）の端部とに１つずつと、列Ｒ２２及び列Ｒ２４のネック部１２側の端部に１つずつと、列Ｒ２２及び列Ｒ２４の先端側の端部に２つずつと、中央の列Ｒ２３の先端側の端部２つと、中央の列Ｒ２３のネック部１２側の端部に１つと設けられている。
【００９３】
本実施形態によれば、三角部１２０に三角部中央毛束１２４が含まれているため、三角部中央毛束１２４の分だけ三角部１２０を構成する用毛の量が増加する。これにより、歯間部内に入り込む用毛の量が増加し、歯間部の清掃効果を向上できる。
【００９４】
本実施形態によれば、第１の三角部毛束１２１は、三角部中央毛束１２４と互いに重ならない位置に配置されている。そのため、第１の三角部毛束１２１と三角部中央毛束１２４とが交差することがなく、清掃効果が低下することを抑制できる。第２の三角部毛束１２２についても同様である。
【００９５】
また、本実施形態によれば、三角部中央毛束１２４は、非テーパー毛であるため、清掃効果をより向上できる。
【００９６】
また、本実施形態によれば、補助三角部１５０に補助毛束４０が含まれているため、三角部１２０と同様にして、歯間部の清掃効果を向上できる。
【００９７】
なお、本実施形態においては、以下の構成を採用することもできる。
【００９８】
本実施形態においては、第１の三角部毛束１２１は、第２の三角部毛束１２２と互いに重ならない範囲において、三角部中央毛束１２４と重なっていてもよい。
また、本実施形態においては、第２の三角部毛束１２２は、第１の三角部毛束１２１と互いに重ならない範囲において、三角部中央毛束１２４と重なっていてもよい。
【００９９】
また、本実施形態においては、第１の補助三角部毛束１４１は、第２の補助三角部毛束１４２と互いに重ならない範囲において、補助三角部１５０の補助毛束４０と互いに重なっていてもよい。
また、本実施形態においては、第２の補助三角部毛束１４２は、第１の補助三角部毛束１４１と互いに重ならない範囲において、補助三角部１５０の補助毛束４０と互いに重なっていてもよい。
【０１００】
また、本実施形態においては、第１の補助三角部毛束１４１及び第２の補助三角部毛束１４２の代わりに、補助毛束４０が設けられていてもよい。
また、三角部中央毛束１２４を構成する用毛は、テーパー毛であってもよい。
また、補助三角部１５０を構成する補助毛束４０は、テーパー毛であってもよい。
【０１０１】
なお、上記第１実施形態及び第２実施形態においては、複数の毛束は、ヘッド部の長手方向（Ｙ軸方向）沿って並ぶ構成としたが、これに限られない。複数の毛束は、ヘッド部の植毛面と平行な方向のいずれの方向に沿って並ぶ構成としてもよい。
【０１０２】
また、例えば、図１に示す毛束の配列において、各毛束が斜め方向に沿って複数の列に並んで設けられているものとみなしてもよいし、図３に示す毛束の配列において、各毛束が短手方向（Ｘ軸方向）に沿って複数の列に並んで設けられているものとみなしてもよい。
【０１０３】
また、上記第１実施形態及び第２実施形態において説明した各構成は、相互に矛盾しない範囲において、適宜組み合わせることができる。
【実施例】
【０１０４】
本発明の実施例の歯ブラシを用いて、本発明の効果について検証した。実施例として、実施例１から実施例７までの歯ブラシを用意し、比較例１，２の歯ブラシと対比した。
実施例１〜７及び比較例１，２の各パラメータは、表１に示す通りである。
【０１０５】
【表１】
2016073535.tif 000003
【０１０６】
表１より実施例１から実施例５は、第１実施形態の実施例であり、実施例６，７は、第２実施形態の実施例である。すなわち、実施例１から実施例５においては、図１に示すように、毛束が千鳥状に配置されている。実施例６，７においては、図３に示すように、毛束が格子状に配置されている。いずれの実施例及び比較例においても、三角部毛束の毛穴部の内径は、１．１ｍｍとし、フロス部毛束の毛穴部の内径は、１．０ｍｍとした。第１の三角部毛束が第１の傾斜面を有する場合、第１の三角部毛束の最小高さＨ１は、６ｍｍとした。第２の三角部毛束についても同様とした。
【０１０７】
なお、表１において、三角部の高さとは、三角部を構成する各毛束の高さを示している。すなわち、三角部の高さとは、第１の三角部毛束の最大高さＨ２及び第３の三角部毛束の高さＨ３に相当する。
【０１０８】
上記の各実施例および各比較例の歯ブラシを用いて、歯間部の清掃効果及び歯間部に対する毛束のフィット感について検証した。
歯間部の清掃効果の検証としては、以下のモデル清掃力試験を実施した。
まず、成人上顎模型（５００ＡＵ、株式会社ニッシン製）の下顎左側第一大臼歯と下顎左側第二大臼歯との歯間部にモデル歯垢として赤色ペイント（サクラ白板マーカー＃１９赤、株式会社サクラクレパス製）を塗布したものを用意した。モデル歯垢が形成された歯牙に対し、垂直に２００ｇの荷重で歯ブラシを押し当てながら、歯ブラシをヘッド部の長手方向にストローク２０ｍｍで２０回往復させた。その後、以下の方法によりモデル歯垢の除去率を測定した。
【０１０９】
上記の清掃力試験前に下顎左側第一大臼歯と下顎左側第二大臼歯との歯間部のモデル歯垢占有面積を画像解析により測定し、清掃力試験後に再度同部位のモデル歯垢占有面積を測定し、下記（１）式を用いて歯垢除去率を算出した。
歯垢除去率（％）＝（（清掃力試験前の歯垢占有面積−清掃力試験後の歯垢占有面積）／（清掃力試験前の歯垢占有面積））×１００  ・・・（１）
【０１１０】
各実施例及び各比較例のそれぞれについて、歯間部の清掃効果を以下のように評価した。
◎：歯垢除去率が７０％以上
○：歯垢除去率が５０％以上７０％未満
△：歯垢除去率が３０％以上５０％未満
×：歯垢除去率が３０％未満
【０１１１】
次に、歯間部に対する毛束のフィット感について、官能試験を行った。被験者は１０名とし、歯間部に対するフィット感の評価を以下の４段階評価とした。
４点：歯間部全体に毛束が違和感なく当たっている感じがあり、フィット感が非常によい。
３点：歯間部全体に毛束が当たっている感じがあり、フィット感がよい。
２点：歯間部全体に毛束が当たっているが少なく、フィット感があまりよくない。
１点：歯間部全体に毛束が当たっている感じがなく、フィット感がない。
【０１１２】
各実施例及び各比較例のそれぞれについて、被験者１０名の評価結果を平均し、歯間部に対するフィット感を以下のように評価した。
◎：３．５点以上４．０点以下
○：３．０点以上３．５点未満
△：２．０点以上３．０点未満
×：２．０点未満
【０１１３】
上記の各試験及び評価を、被験者を変えて３回行った。結果を表２に示す。
【０１１４】
【表２】
2016073535.tif 000004
【０１１５】
表２に示すように、歯間部の清掃効果については、実施例１から実施例７では、いずれも評価が◎または○であるのに対して、比較例１では×、比較例２では△であることが確かめられた。また、歯間部に対するフィット感については、実施例１から実施例７では、いずれも評価が◎または○であるのに対して、比較例１では△、比較例２では×であることが確かめられた。
【０１１６】
なお、表２において、「○〜◎」と記載している箇所は、３回行った評価において、各回の評価が○と◎とに分かれたことを示している。
【０１１７】
比較例１では、第１の三角部毛束及び第２の三角部毛束が傾斜面を有していないため、歯間部内における毛束と歯との接触面積が小さく、歯間部に対するフィット感が得られにくく、歯間部の清掃効果も低かったものと考えられる。
【０１１８】
また、比較例２では、第１の三角部毛束及び第２の三角部毛束が傾いていないため、すなわち、傾きθが０°であるため、三角部が歯間部に入りにくく、その結果として、歯間部に対するフィット感及び歯間部の清掃効果が低下したものと考えられる。
【０１１９】
以上の結果から、本実施例によれば、歯間部に対するフィット感がよく、すなわち、毛束が歯間部に入りやすく、歯間部の清掃効果を向上できる歯ブラシが得られることが確かめられた。
【０１２０】
次に、実施例１から実施例７を用いて、歯間部に対する毛束の進入実感について、官能試験を行った。被験者は１０名とし、歯間部に対する進入実感の評価を以下の４段階評価とした。
４点：歯間部に毛束がつきささるような感触を非常に感じる。
３点：歯間部に毛束がつきささるような感触を感じる。
２点：歯間部に毛束がつきささるような感触をあまり感じない。
１点：歯間部に毛束がつきささるような感触を感じない。
【０１２１】
各実施例及び各比較例のそれぞれについて、被験者１０名の評価結果を平均し、歯間部に対する進入実感を以下のように評価した。
◎：３．５点以上４．０点以下
○：３．０点以上３．５点未満
△：２．０点以上３．０点未満
×：２．０点未満
試験の結果を表３に示す。
【０１２２】
【表３】
2016073535.tif 000005
【０１２３】
表３に示すように、実施例１，３，４，６において評価が◎、実施例２，７において評価が○、実施例５において評価が△であることが確かめられた。実施例１〜４，６，７においては、フロス部毛束の高さＨ４が三角部の高さ（Ｈ２）以上であるため、歯間部にフロス部毛束がつきささりやすく、進入実感をより得られたものと考えられる。また、実施例１，３，４，６においては、フロス部毛束の高さＨ４が三角部の高さ（Ｈ２）よりも大きいため、より進入実感を得られることが確かめられた。
【０１２４】
以上により、本発明の有用性について確かめられた。
【符号の説明】
【０１２５】
１０，１１０…歯ブラシ、１１，１１１…ヘッド部、１１ａ，１１１ａ…植毛面、２０ａ，３０ａ…毛穴部、２１ａ…第１の傾斜面、２２ａ…第２の傾斜面、２１，１２１…第１の三角部毛束（第１の毛束）、２２，１２２…第２の三角部毛束（第２の毛束）、２３，１２３…第３の三角部毛束（第３の毛束）、３０…フロス部毛束（第４の毛束）、４０…補助毛束、４１，１４１…第１の補助三角部毛束（第６の毛束）、４２，１４２…第２の補助三角部毛束（第７の毛束）、１２４…三角部中央毛束（第５の毛束）
【図１】
2016073535.tif 000006
【図２】
2016073535.tif 000007
【図３】
2016073535.tif 000008
【図４】
2016073535.tif 000009